(57)【要約】【課題】  現行のインバーター蛍光灯は優秀であるが、吊り下げ式にするには重く、卓上灯にすると基部が嵩張る。天井灯だけでは、折角の高性能が減殺されてしまう。  「特願２００４−３８２６７６」の「軽量蛍光灯」は、格段に軽量であるが、電灯線電圧を交流のまま給電すると、輝度が物足りない。脈直流にして給電すると、なんとかインバータ式に匹敵する程度になる。しかし、蛍光管の管端付近に発生する「黒ずみ」、陽極付近に発生する「陽極スモッグ」、などの問題がある上に、デザイン上、入力制限手段として用いる白熱電球の配置に困惑する。【解決手段】  本案では入力制限用白熱灯を、豊富に市販されている自動車用ライセンス灯等の、「豆電球」複数個を直列にし、球切れ予防にバイパスコンデンサーを併設して用いた。【効果】  電球が小さいので蛍光管２本の間に配置出来、デザイン上の問題は解消され、却ってプラス効果があった。「黒ずみ」も「陽極スモッグ」も軽減された。【選択図】図１
0003131719.tif 000002
【実用新案登録請求の範囲】
【請求項１】
主点灯回路の入力制限用白熱灯として、『豆電球（自動車用ライセンス灯球等）「必要最小数」を直列にし、これにバイパスコンデンサー（Ｃ４）を並設したもの』を、一組として用いた、脈直流にして給電する軽量蛍光灯具。
【考案の詳細な説明】
【考案の詳細な説明】
【技術分野】
【０００１】  民生用照明灯
【背景技術】
【０００２】  インバーター式蛍光灯は、その蛍光管の寸法／能力に合わせて電源電圧を加工して給電するシステムであるから、性能は最高である。しかし、回路が複雑で部品点数多く、ペンダント灯にすると重く、デスクスタンドにすると基部が嵩張る。天井灯だけにすれば、机上照度は１／４〜１／９になり高性能は台無しである。
0003131719.tif 000003
【考案が解決しようとする課題】
【０００３】  「軽量蛍光灯」の欠点は、交流電源電圧をそのまま給電すると、蛍光灯の輝度（光出力）が物足りない。そこで、全波整流回路で脈直流にして給電すると、輝度は格段に向上しインバーター式に匹敵するが、時に、次の不具合がある。
１）．管端付近に発生する「黒ずみ」
２）．陽極付近に管内浮遊物質が集積してくる「陽極スモッグ現象」
３）．デザイン上、特にデスクスタンドでは、入力制限用白熱電球の配置に困惑する。
【課題を解決するための手段】
【０００４】  「黒ずみ」の原因は、点弧（初期放電）時の突入電流の強度と持続時間が不適当と考えられ、強度はむしろ高く、持続時間は短くする必要がある。その為に入力制限手段の通電時電流減衰特性を急峻にする必要がある。従って入力制限用白熱灯として、所定の電流容量で、出来るだけ熱容量の小さい豆電球「必要最小数」を直列にして用いる。「必要最小数」は設置する部位の作動電圧によって決まる。
なお「直列にした豆電球」には突入電流による球切れ防止用バイパスコンデンサーを並列に設ける。
「陽極スモッグ」の原因は、管内の帯電浮遊物質の集合と考えられ、極力、浮遊物質を誘引しない陽極回りとする為、コンデンサＣ６と極高抵抗Ｒ７の取付を試みる。
【考案を実施するための最良の形態】
【０００５】  「図１」にこれらの外観を示した。
【実施例】
【０００６】  「図２」にＦＬ１０型蛍光管２本を用いた「脈直流にして給電する直列２連順次起動方式の軽量蛍光灯デスクスタンド」の電気回路図を示した。要目諸元は下記の通り。
銘板：「脈直流直列「順次起動」軽量蛍光灯」
仕様：蛍光管（ＦＬ１０ＥＣＷ）２、点灯管（ＦＧ１Ｅ）２、全波整流回路：Ｓ２ＢＶ＋２２μＦ×２
入力制限手段：自動車用電球（１２Ｖ．５Ｗ．ライセンス灯球）４を２個ずつ直列にした。
点弧誘発手段：３．９ＫΩ抵抗＋ポジスタ（代用１００Ｖ．２１／２Ｗ．ナツメ球）１
性能：入力３７Ｗ．（１００Ｖ．０．３９Ａ．力率−０．９５）、出力２３Ｗ．（蛍光管）＋５Ｗ．（豆球）＝２８Ｗ．
エネルギー利用率：２８／３７＝０．７６、照度（１ｍ）：２１０ＬＸ、重量：５００ｇｒ（傘共）
【考案の効果】
【０００７】  実施例では、約一年の使用後、管端の「黒ずみ」は淡すらと発生しているが、許容範囲内と思う。また、「陽極スモッグ」は大方消滅し、残りが有るのか無いのか、直流／脈直流蛍光灯の宿命と思われる「両極付近の輝度むら」と区別し難い。
特徴は、非常に明るく、本体の重量が傘共で５００ｇｒと軽いので、スタンドを高く光源は机上６０ｃｍに、基部は平板にでき、机上が広く高く使える。入力制限手段の自動車用１２Ｖ．５Ｗ．ライセンス灯球（４個直列）はまだ取替えたことはない。たとえ球切れしても、この種の電球は入手が容易で、安価である。
入力制限が主目的のこの豆電球４個は、蛍光管と同じ側に取付け、照射方向を同じにしたので、光を丸々活用出来る上、光の質が違うからアクセント効果を醸し、デザイン上却って有利になった。
【図面の簡単な説明】
【０００８】
【図１】（ａ）「黒ずみ」防止対策の自動車用電球▲２▼の配置図である。（ｂ）同電球用ソケット▲２２▼とそのバイパスコンデンサー（Ｃ４）、及び「陽極スモッグ」対策のコンデンサー（Ｃ６）の、配置を示す外観図である。傘▲２０▼及び、その他の配線▲１６▼▲１７▼等は一部を除き表示を省略した。
【図２】ＦＬ１０×２「脈直流直列順次起動軽量蛍光灯」の電気回路図である。
【符号の説明】
【０００９】  ▲１▼蛍光管▲２▼白熱灯（豆電球）▲３▼点灯管▲４▼スイッチ▲５▼差し込みプラク゜▲７▼点弧誘発バイパス回路のポジスタ（又はその代用品）▲８▼蛍光管ホルダー兼用端子嵌合部品▲９▼スタンド支柱▲１０▼懸架棒（３φピアノ線）▲１１▼座板▲１２▼成型台座（４φＢＳＢ）▲１３▼天板兼反射板（１ｔＡＬＰ）▲１６▼２芯被覆線▲１７▼単芯リード線▲２０▼傘（シェード）▲２２▼豆電球用ソケット▲２５▼部品収納防塵ケース
【００１０】  Ｃ１；電解コンデンサー（２２μＦ，３５０Ｖ．）
Ｃ２；電解コンデンサー（２２μＦ，２５０Ｖ．）
Ｃ３；同上（１００μＦ，１６０Ｖ．×２ケ直列）
Ｃ４；同上（１０μＦ，１６０Ｖ．）
Ｃ６；同上（１０μＦ，２５０Ｖ．）
Ｄ４；ブリッジダイオード（２Ａ．２００Ｖ．以上）
Ｆ  ；フューズ（１Ａ．）
Ｒ７  ；極高抵抗（１．５メグオーム，１／４Ｗ．）
Ｒ６；点弧誘発バイパス回路電流制限用抵抗（５．６Ｋオーム）
Ｂ６；ポジスター代用ナツメ球（１００Ｖ．２．５Ｗ．）
（注）Ｂ６とＲ６はセットで、適正な電流減衰特性のポジスター▲７▼と置換することが出来る。
【図１】
0003131719.tif 000004
【図２】
0003131719.tif 000005
【手続補正書】
【提出日】平成18年11月24日(2006.11.24)
【手続補正１】
【補正対象書類名】実用新案登録請求の範囲
【補正対象項目名】全文
【補正方法】変更
【補正の内容】
【実用新案登録請求の範囲】
【請求項１】
主点灯回路の入力制限用白熱灯として豆電球（自動車用ライセンス灯球等）を用い、点灯時一つの豆電球にかかる電圧が、その定格電圧を超えないようにするために必要な最小数を直列にし、これにバイパスコンデンサー（Ｃ４）を並設したものを、一組として用いた、脈直流にして給電する軽量蛍光灯具。
【手続補正書】
【提出日】平成19年2月8日(2007.2.8)
【手続補正１】
【補正対象書類名】実用新案登録請求の範囲
【補正対象項目名】全文
【補正方法】変更
【補正の内容】
【実用新案登録請求の範囲】
【請求項１】
主点灯回路の入力制限用白熱灯として豆電球を用い、点灯時一つの豆電球にかかる電圧が、その定格電圧を超えないようにするために必要な最小数を直列にし、これにバイパスコンデンサー（Ｃ４）を並設したものを、一組として用いた、脈直流にして給電する軽量蛍光灯具。